(57)【要約】【課題】  測光する方向が理想的な向きとなる入射式測光センサを設けた撮影装置を提供する。【解決手段】  ストロボ装置は内部の受光センサに入射する光を拡散するための拡散部材を具備し、測光時には、この受光センサを撮影光軸と略平行な方向に固定できる構成を有する。【選択図】  図１
2005173229.tif 000002
【特許請求の範囲】
【請求項１】
受光センサに入射する光を拡散するため該受光センサを覆うように設けられた拡散部材を有するストロボ装置と、前記ストロボ装置内にある受光センサは測光時に撮影光軸と略平行な方向に固定することが可能な手段を持つことを特徴とするカメラシステム。
【請求項２】
前記カメラシステムにおいて、前記ストロボ装置はカメラと通信可能であり、測光値をカメラに送信可能な手段を有することを特徴とする。
【請求項３】
前記カメラシステムにおいて、前記ストロボ装置は表示装置を有し、カメラと接続しない時には入射光露出計として機能し前記表示装置に測光値を表示することを特徴とする。
【請求項４】
前記カメラシステムにおいて、前記ストロボ装置に接続されたカメラは撮影レンズを介して被写界を測光する測光手段を持ち、前記ストロボにて測光された値とカメラの測光値とを合わせて露出値を決定する露出演算手段を持つことを特徴とする。
【発明の詳細な説明】
【技術分野】
【０００１】
本発明は、ストロボ装置を含むカメラシステムに関するものである。
【背景技術】
【０００２】
従来より、カメラの露出量を演算するもととなる露出計の測光方式には、反射光式と入射光式の二つの方法があることが知られている。
【０００３】
一般的にはカメラに内蔵しているものは被写体の反射光を測定する反射光式がほとんどである。入射光式はカメラには内蔵されず単体で製品化されているが、カメラに内蔵するものも提案されている（例えば、特許文献１参照）。
【特許文献１】特開２０００−４７２７９号公報
【発明の開示】
【発明が解決しようとする課題】
【０００４】
上述の特開２０００−４７２７９号公報に記載されている入射光式測光手段は、図6に示すようにカメラの上部にあり、測光する方向も理想的な方向から著しくずれているので正しい測光値が得られないという問題点があった。
【０００５】
本発明の第１の目的は、入射光測光方式、反射光測光方式を同時に測定することを可能とするシステムを提供することである。
【０００６】
本発明の第２の目的は、入射光測光方式、反射光測光方式を同時に測定することを可能とすることで露出精度を高めたカメラシステムを提供することである。
【課題を解決するための手段】
【０００７】
上記第１の目的を達成するために、請求項１記載の本発明はカメラに公知のアクセサリーシューを介して取り付け可能なストロボ装置において、ストロボ発光部の上に受光部と受光センサを設けて入射光式の測光装置を備え、必要に応じて前記アクセサリーからカメラ本体へ測光値をデータ転送する手段を持つ。
【０００８】
上記第２の目的を達成するために、請求項記載の本発明はカメラで入射光測光方式、反射光測光方式の値からより正確な露出制御値を演算する手段を持つ。
【発明の効果】
【０００９】
本願発明におけるカメラシステムでは、入射光測光方式、反射光測光方式を同時に測定することにより露出精度の向上が可能とするシステムを提供することが出来る。また、ストロボに入射光露出計を内蔵することによりアクセサリーの多機能化や持ち運びがコンパクトになるというメリットも得られる。
【発明を実施するための最良の形態】
【００１０】
以下、本発明を図示の実施の形態に基づいて詳細に説明する。
【００１１】
図１は上記構成におけるカメラ及び該カメラに装着されるアクセサリーである外付けストロボ装置を主に示した構成図である。
【００１２】
同図において、１はカメラ本体であり、この中に以下に述べる光学部品，不図示の機械的部品，図２に示した様な電気素子、感光部材などが収納され、これらを用いることによって写真撮影が行えるようになっている。２は主ミラーであり、観察状態と撮影状態に応じて撮影光路へ斜設されあるいは退去される。また、該主ミラー２はハーフミラーとなっており、斜設されているときも、後述する焦点検出光学系へ不図示の被写体からの光束の約半分を透過させている。
【００１３】
３はレンズ１２〜１４の予定結像面に配置されたピント板、４はファインダ光路変更用のペンタプリズムである。５はファインダ窓であり、撮影者はこの窓よりピント板３を観察することで、撮影画面を観察することが出来る。６，７は観察画面内の被写体輝度を測定する為の結像レンズと多分割の測光センサであり、結像レンズ６はペンタダハプリズム４内の反射光路を介してピント板３と多分割測光センサ７（図２の測光センサ２０２に相当する）を共役に関係付けている。８はシャッタ、９は感光部材であり、銀塩フィルム等より成っている。
【００１４】
２３，２４は露光時にフイルム面反射光を測光する為の結像レンズと調光用センサであり、露光時のストロボ光の発光を調光用センサ２４（図２の調光センサ２１０に相当する）で測光し、所定量に達したと判定されるとストロボ光の発光が停止され、発光量の制御が行われる。２５はサブミラーであり、被写体からの光束を下方に折り曲げて、焦点検出ユニット２６の方に導いている。
【００１５】
前記焦点検出ユニット２６内には、２次結像ミラー２７，２次結像レンズ２８，焦点検出ラインセンサ２９（図２のＡＦセンサ２０１に相当する）等が具備されている。前記２次結像ミラー２７と２次結像レンズ２８により焦点検出光学系を成しており、撮影光学系の２次結像面を焦点検出ラインセンサ２９上に結んでいる。焦点検出ユニット２６は後述の電気的処理により、既知の位相差検出法により撮影画面内において４５点（図１のＡＦポイント４０２参照）において被写体の焦点状態を検出し、撮影レンズの焦点調節機構を制御することにより自動焦点検出装置を実現している。
【００１６】
１０はレンズ接点（図２のレンズ接点１１１に相当する）、１１は撮影レンズ（図２の撮影レンズ２５０に相当する）、１２〜１４は撮影レンズ１１を構成するレンズである。詳しくは、１２は１群レンズであり、光軸上を左右に可動することで撮影画面のピント位置を調整することが出来る。１３は２群レンズであり、光軸上を左右に可動することで撮影画面の変倍となり、撮影レンズ１１の焦点距離が変更される。１４は３群固定レンズ、１５は絞り（図２の絞り２１３に相当する）である。１６はレンズ駆動モータ（図２のレンズ駆動モータ２１１に相当する）であり、自動焦点調節動作により、つまり１群レンズ１２を図５中左又は右に移動させることにより自動的にピント位置を調整することが出来る。１７はレンズ絞り駆動モータ（図２のレンズ絞り駆動モータ２１２に相当する）であり、これにより絞り１５を開放にしたり、絞ったりする事が出来る。
【００１７】
１８は外付けストロボ装置であり、カメラ本体側１に装着され、該カメラ本体側からの信号に従ってストロボ発光制御を行うものである。１９はキセノン管（図２のキセノン管２１７に相当する）であり、電流エネルギーを発光エネルギーに変換する。２０，２１は反射板とフレネルレンズであり、それぞれ発光エネルギーを効率良く被写体に向けて集光する役目である。２２はカメラ本体側１と外付けストロボ装置１８とのインターフェースとなる接点（図２のストロボ制御用接点１１３に相当する）である。
【００１８】
３０はグラスファイバー（図２のグラスファイバー２１９に相当する）であり、キセノン管１９の発光した光をモニタ用のフォトダイオード３１（図２のフォトダイオード２２０に相当する）に導いている。このフォトダイオード３１は、ストロボのプリ発光及び本発光の光量を直接測光しているものであり、本発光量の制御のためのものである。３２はやはりキセノン管１９の発した光をモニタするフォトダイオード（図２のフォトダイオード２２１に相当する）であり、該フォトダイオード３２の出力によりキセノン管１９の発光電流を制限してストロボがフラット発光を行う事が出来る。３３は入射光式測光センサである。図２は本発明のカメラの電気回路のブロック図である。
【００１９】
100はカメラの制御をつかさどる中枢部分であるMPUであり、RAM100a、不揮発性メモリのEEPROM100b、カメラの測光値や測距データ等のアナログ値をデジタル値に変換するA/D変換器100Cが内蔵されている。
【００２０】
101はMPUが動作するための発振周波数を作り出す発振器である。
【００２１】
102はオートフォーカスの中枢部分である焦点検出装置で201のセンサーがここに含まれる。
【００２２】
本実施例のAFセンサーはファインダー視野内に5行9列の45ペアの測距センサが配列されている。
【００２３】
103は測光回路で測光センサ202を含む。本実施例の測光センサは7行11列の77個の測光エリアからなる。
【００２４】
104はシャッター制御回路でMPU100からの制御信号を受けると204のコイルMG-1に電流を流してシャッター先幕を走行させて所定時間後にコイル203のMG-2に電流を流して後幕を走行させる。
【００２５】
105はミラー制御回路でMPU100からの指示に205のMG-Mに電流を流すことによりミラーアップ・ミラーダウンを行う。
【００２６】
106はモータ制御回路でMPU100からの指示に従って206のM1モータと207のM2モータの駆動を行う。M1はシャッターチャージを行うミラーでM2はフィルムの巻き上げを行う。
【００２７】
107はフィルム走行検知回路でフィルム給送中にフィルムに赤外光を照射してその反射光でフィルム走行の検知を行う。
【００２８】
108はスイッチセンス回路でカメラの操作部材や入力スイッチの管理を行う。一例として測光測距スイッチであるSW1・レリーズスイッチであるSW2、測距ポイント数を選択するFP_SEL等がある。
【００２９】
109は液晶表示回路でファインダー内LCD208と外部液晶であるモニター用LCD209の点灯制御を行う。
【００３０】
110は調光回路でストロボの発光制御や調光センサ210の出力に応じて発光停止制御を行う。
【００３１】
111はレンズ接点でカメラ本体からレンズ駆動用電源・レンズ絞り用電源を供給するための端子やカメラ本体からの制御信号の端子がある。
【００３２】
112はレンズ制御回路でカメラ本体のMPU100から制御信号を受け、レンズ駆動モータ211とレンズ絞りモータ駆動212の制御とレンズ内のフォトインタラプタ214の信号を受けるまた、手ぶれ防止回路の制御も行いシフトレンズ駆動コイル（縦）216、シフトレンズ駆動コイル(横)217の制御も行う。フォトインタラプタ214はレンズ駆動に連動するパルス板215の透過光を出力としてレンズ制御回路112へ出力する。213はレンズ絞り駆動モータで駆動される絞りである。
【００３３】
113はストロボ制御用接点でカメラ本体とストロボとの通信端子を備える。
【００３４】
218は外付けストロボのストロボ制御回路でカメラ本体の調光回路110の出力に応じてキセノン管217を発光させたり発光停止回路220の制御や、ストロボについているスイッチ（メインSWや測光SW）のスイッチセンス、測光回路224の制御、液晶表示回路の225の制御を行う。
【００３５】
221はグラスファイバーでキセノン管219の光を223のフォトダイオードに導光する。2フォトダイオードはプリ発光時の出力をこのセンサで検知することにより発光量の制御を行っている。221はやはりフォトダイオードでキセノン管の出力を直接見ておりプリ発光時の出力のモニターを行って、フラット発光の制御を行っている。
【００３６】
226はモニター用LCDで液晶表示回路225により駆動され、設定値や測定値の表示を行う。
【００３７】
図3は、本実施例における入射光露出計内蔵のストロボを背面から見た図である。
【００３８】
３０１はメインスイッチである。
【００３９】
３０２は調光確認ランプでストロボが適正発光量だけ発光できたときに点灯する。
【００４０】
３０３はパイロットランプでストロボのコンデンサの充電電圧が発光可能になったときに点灯する。
【００４１】
３０４はMODEボタンでストロボの各種設定モードを設定する。
【００４２】
３０５、３０６はプラス／マイナスボタンでモード設定を変更するときに用いる。
【００４３】
３０７はセレクト／セット  ボタンで３０５、３０６で設定値を変化させたときに変化させた値を確定させたり、入射光露出計の値を記憶させたりするボタンである。
【００４４】
３０８は外部液晶モニタで各種設定値を表示する。図３では「入射光露出計モード」の時の表示を表している。
【００４５】
３０９はストロボをバウンスさせる為の押しボタンで入射光露出計のスイッチを兼用している。
【００４６】
３１０は受光球で、入射光露出計はここから光を入射する。
【００４７】
次に、図２と図４を用いて本発明を実施したストロボ制御カメラシステムの動作フローを説明する。
【００４８】
（１０１）ＭＰＵ１００はまずレリーズ釦の第１ストロークでＯＮする第１ストロークスイッチＳＷ１を検出する。ＳＷ１を検出するまではこの動作を繰り返し、第１ストロークスイッチＳＷ１のＯＮを検出すると、次の動作をする。
【００４９】
（１０２）ＭＰＵ１００はスイッチセンス回路１１０より、他の不図示のカメラの各操作スイッチを読み込み、シャッタースピードの決め方や、絞りの決め方等様々な撮影モードの設定を行う。
【００５０】
（１０３）測光回路１０３に対して制御信号を出力して、測光用センサー２０２信号蓄積を行う。
【００５１】
（１０４）測光回路１０３に対して制御信号を出力して、測光値のデータを取得する。
【００５２】
（１０５）MPU１００はアクセサリーシュー１１３にストロボが装着されているかどうか判断する。装着されているときはステップ（１０６）へ、そうでないときはステップ（１０８）へ進む。
【００５３】
（１０６）MPU１００はストロボに入射光測光装置が備え付けてあるか、また入射光測光装置のSWがオンになっているかどうか判定し、オンの時はステップ（１０７）へ、そうでないときはステップ（１０８）へ進む。
【００５４】
（１０７）MPU１００は入射光測光の値を調光回路１１０とストロボ制御回路１１３を介して測光回路２２４からデータを取得する。
【００５５】
（１０８）入射光測光の測光値とカメラ内蔵の測光値をもとに露出演算を行う。演算によって被写体の輝度を求め、これに対して適正露出となるシャッター速度や絞り値を決定する。具体的な方法については後述する。
【００５６】
（１０９）焦点検出用センサー２０に対して焦点検出回路１０２を介して制御信号を出力して、信号蓄積を行う。
【００５７】
（１１０）焦点検出用センサー２０１に蓄積された信号を商店検出回路１０２を持ちいて読み出しながらＡ／Ｄ変換１００ｃでＡ／Ｄ変換を行う。さらに、変換された各デジタルデータに対してシェーディング等の必要な各種のデータ補正を行う。
【００５８】
（１１１）焦点検出を行うために必要なレンズ情報等をレンズ制御回路１１２より入力し、これと焦点検出用センサー２０１から得られているデジタルデータより焦点検出エリアの焦点状態を演算する。さらに演算された焦点状態に従って合焦となるためのレンズ移動量を算出する。
【００５９】
（１１２）算出されたレンズ移動量をレンズ制御回路１１２に出力する。これに従ってレンズ制御回路１１２は焦点調節用レンズを駆動するようにレンズ駆動モータ２１１に通電することにより撮影レンズは被写体に対して合焦状態となる。
【００６０】
（１１３）不図時のシャッター釦の第２ストロークスイッチがオンされるのを待つ。オンされていなければ前記（１０１）に戻るが、もしも、オンされると（１１４）へ進む。
【００６１】
（１１４）ミラー制御回路１０５に対して制御信号を出力して、ミラー制御用マグネットＭＧ−Ｍ２０５を駆動する。
【００６２】
（１１５）前記（１０８）のステップにて演算された絞り値情報をレンズ制御回路１１２に対して出力する。この情報に従ってレンズ制御回路１１２は絞り２１３を駆動するように絞り駆動用モータ２１２に通電する。これにより撮影レンズは絞り込み状態となる。
【００６３】
（１１６）前記（１０８）のステップにて演算されたシャッター速度にしたがってシャッター制御回路１０４を制御してフィルムに対する露光を行う。
【００６４】
（１１７）レンズ制御回路１１２に対して絞り２１３を開放するように情報出力する。この情報に従ってレンズ制御回路１１２は絞り２１３を駆動するようにレンズ絞り駆動モータ２１２に通電する。これにより撮影レンズは絞り開放状態となる。
【００６５】
（１１８）MPU１００はモーター制御回路１０６にドライバに制御信号を出力して、第１のモーター２０７を駆動して主ミラー２及び第１の反射ミラー２５をダウンさせる。
【００６６】
（１１９）MPU１００はモーター制御回路１０６にドライバに制御信号を出力して、第２のモーター２０６を駆動してフィルムの巻き上げを行う。
これで一連の撮影シーケンスが終了する。
【００６７】
次に図５、図７を用いてサブルーチン「露出演算」について説明する。
【００６８】
ここで、入射光測光方式の値をBvi、反射光測光方式の値をBvr、実際に制御する値をBvcと定義する。それぞれの値は公知のAPEX値における輝度値(Bv値)に対応している。
【００６９】
このときに、経験から以下のような式を用いると適性な露出が得られることが知られている。
【００７０】
（２０１）でBvrを公知のアルゴリズムにより算出する。
【００７１】
（２０２）でBvrが10より高いかどうか判定する。高いときは（２０４）へ、低いときは（２０３）へ進む。Bvrが5より高いかどうか判定する。高いときは（２０５）へ、低いときは（２０６）へ進む。
【００７２】
（２０４）で露出制御値を演算する。演算式は
Bvc=Bvr-3/4*(Bvr-Bvi)
となる。
【００７３】
（２０５）で露出制御値を演算する。演算式は
Bvc=Bvr-1/2*(Bvr-Bvi)
となる。
【００７４】
（２０６）で露出制御値を演算する。演算式は
Bvc=Bvr-1/4*(Bvr-Bvi)
となる。
【００７５】
（２０７）ISO感度を読み込みBvcに加算して、（２０８）へ進む。
【００７６】
（２０８）公知のアルゴリズムによりシャッタースピードと絞り値を決定し、メインルーチンへ戻る。
【００７７】
たとえば、Bvr=7.15,Bvi=5.85,ISO感度100(Sv=5)のときは
Bvc=Bvr-1/2*(Bvr-Bvi)
より、
Bvc=7.15-1/2*(7.15-5.85)=6.5
よって、Ev値は6.5+5=11.5となる。
【００７８】
このときのファインダー内表示を表したのが図5である。
【００７９】
ファインダー内に右側にはBVr,Bvi、Bvcに対応した値が表示され、ファインダー下部にはBvcから求めたシャッタースピードと絞り値（この場合、1/250秒  F3.5を示している）が表示される。
【図面の簡単な説明】
【００８０】
【図１】本発明の実施の各形態に係るカメラシステムの構成図である。
【図２】図１に示すカメラシステムの回路ブロック図である。
【図３】本実施例におけるカメラシステムの内の入射光式露出計内蔵のストロボの背面を表す図である。
【図４】本発明の実施の第１の形態に係るカメラ側のメイン処理を示すフローチャートである。
【図５】本実施例における撮影時のファインダー内表示を表す図である。
【図６】従来のカメラシステムを表す図。
【図７】本実施例におけるサブルーチン「露出制御」の処理を示すフローチャートである。
【符号の説明】
【００８１】
１  カメラ本体
２  主ミラー
３  ピント板
４  ペンタプリズム
５  ファインダ窓
６  結像レンズ
７  多分割測光センサ
８  シャッタ
９  感光部材
１０  レンズ接点
１１  撮影レンズ
１２  １群レンズ
１３  ２群レンズ
１４  ３群固定レンズ
１５  絞り
１６  レンズ駆動モータ
１７  レンズ絞り駆動モータ
１８  外付けストロボ装置
１９  キセノン管
２０  反射板
２１  フレネルレンズ
２２  接点
２３  結像レンズ
２４  調光用センサ
２５  サブミラー
２６  焦点検出ユニット
２７  ２次結像ミラー
２８  ２次結像レンズ
２９  焦点検出ラインセンサ
３０  グラスファイバー
３１、３２  フォトダイオード
３３  入射光式測光センサ
【図１】
2005173229.tif 000003
【図２】
2005173229.tif 000004
【図３】
2005173229.tif 000005
【図４】
2005173229.tif 000006
【図５】
2005173229.tif 000007
【図６】
2005173229.tif 000008
【図７】
2005173229.tif 000009